(57)【特許請求の範囲】
【請求項１】
平面視四角形状の枠体と、
前記枠体内に張設された複数枚の網体と、を備え、
前記網体は、複数の横糸及び縦糸を格子状に編んで構成されており、
高緯度の太陽光の入射を抑制し、低緯度の太陽光の入射を促進するように、隣り合う前記網体同士の離隔寸法が設定されていることを特徴とする室内環境制御装置。
【請求項２】
隣り合う２枚の前記網体の前記横糸が、上下方向に互いにずれるように配列されていることを特徴とする請求項１に記載の室内環境制御装置。
【請求項３】
高緯度の太陽光の入射を抑制し、低緯度の太陽光の入射を促進するように、隣り合う前記網体同士の離隔寸法及び前記横糸のずれ寸法が設定されていることを特徴とする請求項２に記載の室内環境制御装置。
【請求項４】
隣り合う２枚の前記網体において、前記縦糸が水平方向に互いにずれるように配列されていることを特徴とする請求項１〜３のいずれか１項に記載の室内環境制御装置。
【請求項５】
前記網体が光の透過性を有することを特徴とする請求項１〜４のいずれか１項に記載の室内環境制御装置。
【請求項６】
前記複数枚の網体のうち、室内側の前記網体の反射率が室外側の前記網体の反射率と同等又はそれ以下であることを特徴とする請求項１〜５のいずれか１項に記載の室内環境制御装置。
【請求項７】
建物の窓の外側面に、複数の横糸及び縦糸を格子状に編んで構成された第一の網体を設置する工程と、
前記第一の網体の外側面に、前記第一の網体と同一構成の第二の網体を重ねあわせる工程と、を有し、
前記第一の網体の横糸と前記第二の網体の横糸とを、高緯度の太陽光の入射を抑制し、低緯度の太陽光の入射を促進するように上下方向に互いにずらして配列することを特徴とする室内環境制御方法。
【請求項８】
建物の窓の外側面に、複数の横糸及び縦糸を格子状に編んで構成された第一の網体を設置する工程と、
前記第一の網体の外側面に、前記第一の網体と同一構成の第二の網体を重ねあわせる工程と、を有し、
前記第一の網体の縦糸と前記第二の網体の縦糸とを、平面視で斜め前方方向からの太陽光の入射を抑制するように水平方向に互いにずらして配列することを特徴とする室内環境制御方法。
【発明の詳細な説明】
【技術分野】
【０００１】
本発明は、室内環境制御装置及び室内環境制御方法に関する。
【背景技術】
【０００２】
従来より、通風を確保しつつ、室内への太陽光の入射量を調整したり外部からの視線を遮ったりする装置としてルーバーシステムが用いられている（例えば下記特許文献１）。
【０００３】
このルーバ―システムとしては、例えば下記特許文献１に記載のように、所定の間隔をもって配列された複数の縦桟材を有するルーバーユニットが建物の外壁面に対して取り付けられたものが知られている。この縦桟材は、通常、金属材料（例えばアルミ材や鋼材）や木材からなり、数ｃｍの厚み寸法、幅寸法、離隔寸法を有している。下記特許文献１に記載のルーバ―システムによれば、十分な採光を得ることができると共に、外部からの視線を遮ることができる、とされている。
【先行技術文献】
【特許文献】
【０００４】
【特許文献１】特開２０１３−１７４０７８号公報
【発明の概要】
【発明が解決しようとする課題】
【０００５】
ところで、太陽光の入射角度は季節に応じて変動するものであるため、ルーバーシステムを介して室内に導入される太陽光の入射量も季節に応じて異なってくるものである。しかしながら、上記特許文献１に記載のルーバーシステムにあっては、太陽光の入射角度に関して何ら考慮されていないため、季節に応じた太陽光の入射量の調整が難しいという問題があった。このように、従来では単に太陽光の入射量を調整することの技術が提案されているのみであり、季節に応じた太陽光の入射量の調整をするための具体的な構成に関しては何ら検討がなされていなかった。
【０００６】
本発明はこのような課題に鑑みてなされたものであり、季節に応じた太陽光の入射量の調整をすることができる室内環境制御装置及び室内環境制御方法を提供することをその目的とする。
【課題を解決するための手段】
【０００７】
上記課題を解決するために本発明に係る室内環境制御装置は、平面視四角形状の枠体と、前記枠体内に張設された複数枚の網体と、を備え、前記各網体は、複数の横糸及び縦糸を格子状に編んで構成されており、高緯度の太陽光の入射を抑制し、低緯度の太陽光の入射を促進するように、隣り合う前記網体同士の離隔寸法が設定されていることを特徴とする。
【０００８】
かかる構成によれば、高緯度の太陽光を抑制し、低緯度の太陽光を促進するように隣り合う網体同士の離隔寸法が設定されているため、季節に応じた太陽光の入射量の調整をすることができる。
【０００９】
また本発明に係る室内環境制御装置では、隣り合う２枚の前記網体の前記横糸が、上下方向に互いにずれるように配列されていることも好ましい。
【００１０】
かかる構成では、隣り合う網体の横糸を、上下方向に互いにずれるように配列して太陽光の入射量を制御している。従来では（例えば網体１つの場合では）、室内に導入される太陽光を促進させるようにすると、網体を介した外部からの視線を遮りにくくなり（外部から室内が見えやすくなり）、プライバシーが犠牲になるという問題がある。これに対し、本発明では、隣り合う網体の横糸を上下方向に互いにずれるように配列して太陽光の入射量を制御しているので、太陽光の入射量を促進させても少なくとも一方の網体の横糸で外部からの視線を遮ることができ、入射量の調整と外部からの視線の遮断の両立を図ることができる。
【００１１】
また本発明に係る室内環境制御装置では、高緯度の太陽光の入射を抑制し、低緯度の太陽光の入射を促進するように、隣り合う前記網体同士の離隔寸法及び前記横糸のずれ寸法が設定されていることも好ましい。
【００１２】
かかる構成によれば、網体同士の離隔寸法及び横糸のずれ寸法を設定して太陽光の入射量を制御するので、季節に応じた太陽光の入射量をより精度良く調整することができる。
【００１３】
また本発明に係る室内環境制御装置では、隣り合う２枚の前記網体において、前記縦糸が水平方向に互いにずれるように配列されていることも好ましい。
【００１４】
かかる構成によれば、隣り合う２枚の網体の縦糸が水平方向に互いにずれるように配列されているので、平面視で斜め前方方向からの太陽光（例えば夏季の西日）の入射を一方の網体の縦糸で遮断することができ、当該太陽光の入射量を抑えることができる。
【００１５】
また本発明に係る室内環境制御装置では、前記網体が光の透過性を有することも好ましい。
【００１６】
かかる構成によれば、例えば一方の網体の横糸にあたる角度で太陽光が入射する場合であっても、当該太陽光を完全に遮断せずに、ある程度室内に光を導入することができるので、日中の日射透過率の変動を抑えることができる。
【００１７】
また本発明に係る室内環境制御装置では、前記複数枚の網体のうち、室内側の前記網体の反射率が室外側の前記網体の反射率と同等又はそれ以下であることも好ましい。
【００１８】
かかる構成によれば、太陽光が例えば一方の網体の横糸にあたる角度で入射する場合であっても、当該太陽光を完全に反射させずに、ある程度室内に光を導入することができるので、日中の日射透過率の変動を抑えることができる。
【００１９】
また本発明に係る室内環境制御方法では、建物の窓の外側面に、複数の横糸及び縦糸を格子状に編んで構成された第一の網体を設置する工程と、前記第一の網体の外側面に、前記第一の網体と同一構成の第二の網体を重ねあわせる工程と、を有し、前記第一の網体の横糸と前記第二の網体の横糸とを、高緯度の太陽光の入射を抑制し、低緯度の太陽光の入射を促進するように上下方向に互いにずらして配列することを特徴とする。
【００２０】
この室内環境制御方法によれば、建物の窓の外側面に第一の網体と第二の網体とを設置して、高緯度の太陽光の入射を抑制し低緯度の太陽光の入射を促進するように、第一の網体の横糸と第二の網体の横糸とを上下方向にずらして配列するので、季節に応じた太陽光の入射量の調整をすることができる。
【００２１】
また本発明に係る室内環境制御方法では、建物の窓の外側面に、複数の横糸及び縦糸を格子状に編んで構成された第一の網体を設置する工程と、前記第一の網体の外側面に、前記第一の網体と同一構成の第二の網体を重ねあわせる工程と、を有し、前記第一の網体の縦糸と前記第二の網体の縦糸とを、平面視で斜め前方方向からの太陽光の入射を抑制するように水平方向に互いにずらして配列することを特徴とする。
【００２２】
この室内環境制御方法によれば、建物の窓の外側面に第一の網体と第二の網体とを設置して、平面視で斜め前方方向からの太陽光の入射を抑制するように、第一の網体の縦糸と第二の網体の縦糸とを水平方向に互いにずらして配列するので、例えば夏季の西日の入射を一方の網体の縦糸で遮断することができ、当該西日の入射量を抑えることができる。
【発明の効果】
【００２３】
本発明によれば、季節に応じた太陽光の入射量の調整をすることができる室内環境制御装置及び室内環境制御方法を提供することができる。
【図面の簡単な説明】
【００２４】
【図１】第１実施形態に係る室内環境制御装置の構成を説明するための図である。
【図２】図１に示す隣り合う網体の横糸を側面から見た場合の拡大断面図である。
【図３】太陽高度に対する太陽光の遮蔽の有無を示すグラフである。
【図４】第２実施形態に係る室内環境制御装置における、隣り合う網体の横糸を側面からみた場合の拡大断面図である。
【図５】第２実施形態に係る室内環境制御装置における、隣り合う網体の縦糸を側面からみた場合の拡大断面図である。
【図６】異なる季節における日射透過率について、第２実施形態と従来例とを比較するためのグラフである。
【図７】西日の日射透過率について、第２実施形態と従来例とを比較するためのグラフである。
【発明を実施するための形態】
【００２５】
以下添付図面を参照しながら本発明の実施形態について説明する。なお、以下の実施形態はあくまでも好適な適用例であって、本発明の適用範囲がこれに限定されるものではない。
【００２６】
まず、第１実施形態における室内環境制御装置の構成について説明する。図１は、室内環境制御装置の構成を説明するための図である。
【００２７】
第１実施形態における室内環境制御装置１は、２枚の網戸１ａ、１ｂを備える。この網戸１ａ、１ｂは、例えば建物の窓の開口に嵌め込まれて使用される際に、所定寸法離隔して配置されるものである。本実施形態では、網戸１ａは屋外側に配置され、網戸１ｂは屋内側に配置される。なお、図１では、２枚の網戸１ａ、１ｂの例が示されているが、複数枚（２枚以上）の網戸を用いることも可能である。
【００２８】
図１に示すように、網戸１ａ、１ｂは、平面視四角形状を呈する枠２ａ、２ｂと、当該枠２ａ、２ｂ内に張設された網体１０ａ、１０ｂと、を有する。
【００２９】
網体１０ａ及び網体１０ｂは、それぞれ同一構成であり、網体１０ａは、複数の横糸１１ａ及び複数の縦糸１２ａを格子状に編んで構成され、網体１０ｂは、複数の横糸１１ｂ及び複数の縦糸１２ｂを格子状に編んで構成される。このような網体１０ａ、１０ｂにより太陽光を遮蔽したり、網体１０ａ、１０ｂの開口を通して室内に太陽光を導入したりして、太陽光の入射量を調整することができる。本実施形態では、（室外側の）網体１０ａにおける縦糸１２ａの横方向間隔をｘ１とし、網体１０ａにおける横糸１１ａの縦方向間隔をｙ１とする。
【００３０】
なお、（室内側に配置される）網体１０ｂの縦糸１２ｂの横方向間隔は、ｘ１の大きさと同じであり、網体１０ｂの横糸１１ｂの縦方向間隔はｙ１の大きさと同じであるが、後述するように、隣り合う網体１０ａ、１０ｂの横糸１１ａ、１１ｂ又は縦糸１２ａ、１２ｂは、側面断面視において所定寸法ずれるように配置される。また、室外側に配置される網体１０ａの横糸１１ａ及び縦糸１２ａの太さと、室内側に配置される網体１０ｂの横糸１１ｂ及び縦糸１２ｂの太さはそれぞれ同じである。
【００３１】
隣り合う網体１０ａ、１０ｂの横糸１１ａ、１１ｂの配置について図２を参照して説明する。図２（Ａ）は、網体１０ａ、１０ｂの横糸１１ａ、１１ｂを側面から見た場合の拡大断面図であって、低緯度の太陽光の入射を促進する例を説明するための図である。図２（Ｂ）は、網体１０ａ、１０ｂの横糸１１ａ、１１ｂを側面から見た場合の拡大断面図であって、高緯度の太陽光の入射を抑制する例を説明するための図である。なお、図２（Ａ）のＬｗは、冬季における太陽光（低緯度の太陽光）を示し、図２（Ｂ）のＬｓは、夏季における太陽光（高緯度の太陽光）を示している。また、本発明における「高緯度」とは、太陽光の入射角度が約５５以上８０以下（春分〜夏至〜秋分）の範囲を示し、「低緯度」とは、太陽光の入射角度が約２５以上５５以下（秋分〜冬至の9時30分〜14：30分〜春分）の範囲を示す。
【００３２】
図２（Ａ）及び図２（Ｂ）に示すように、隣り合う２枚の網体１０ａ、１０ｂにおいて、横糸１１ａ、１１ｂが上下方向に互いにずれるように配列されている。詳細には、横糸１１ａ、１１ｂの縦方向のずれ寸法ｙ２２が調整され、隣り合う網体１０ａ、１０ｂ同士の離隔寸法ｃ１が調整されている。これにより、次のように室内に導入される太陽光Ｌｗ、Ｌｓが制御される。具体的には、図２（Ａ）に示すように、冬季の太陽光Ｌｗ（低緯度の太陽光）は、網体１０ａの横糸１１ａ間を通過すると共に網体１０ｂの横糸１１ｂ間を通過して、室内に太陽光Ｌｗが導入される。一方で、図２（Ｂ）に示すように、夏季の太陽光Ｌｓ（高緯度の太陽光）は、網体１０ａの横糸１１ａ間を通過するが網体１０ｂの横糸１１ｂで遮蔽される。その結果、夏季においては室内に導入される太陽光Ｌｓが抑制される。
【００３３】
図２（Ａ）及び（Ｂ）で示した、隣り合う網体１０ａ、１０ｂ間の離隔寸法ｃ１を２．０ｍｍに設定し、横糸１１ａ、１１ｂのずれ寸法ｙ１１を０．４５ｍｍに設定し、網体１０ａにおける横糸１１ａの縦方向の間隔ｙ１を１．５ｍｍに設定し、横糸１１ａ、１１ｂの直径ｔを０．７５ｍｍに設定して、太陽高度に対する太陽光の入射の有無について検証を行った。図３は、太陽高度と入射の有無との関係について検証した結果を示すグラフである。なお、図３の線Ｇａは、太陽光の入射量の大きさ（入射の有無）を示している。
【００３４】
図３に示すように、比較的低い太陽高度（例えば５０°以下）では、太陽光の入射が制限されていないことが確認された。これは、当該太陽高度の範囲において、太陽光の入射が促進されるように調整されたことを示している。また、比較的高い太陽高度（例えば５０°以上）では、太陽光の入射有りの領域と、入射無しの領域とが確認された。これは、当該太陽高度の範囲において、太陽光の入射量を抑制できたことを示している。このように、本実施形態における室内環境制御装置によれば、比較的高い太陽高度での太陽光の入射を抑制し、比較的低い太陽高度での太陽光の入射を促進するように制御可能であることが確認された。
【００３５】
なお、図３の横軸に示した太陽高度（太陽光の入射角）については以下のように算出することができる。具体的には、任意時間における時角τは、以下の式で求められる。
0006517093.tif 000002
τ：時角[deg]、ｔ：任意時間[h]、β：緯度[deg]、ω：標準時経度[deg]
太陽の入射角度は、以下の式で決定される。
0006517093.tif 000003
α：緯度[deg]、γ：赤緯[deg]、λ：太陽高度[deg]、φ：太陽方位角[deg]、ψ：太陽入射角[deg]、δ：網戸の水平面傾斜角[deg]、σ：網戸の傾斜方位角[deg]
【００３６】
なお、図２に示すように、網体１０ａ、１０ｂ間の離隔寸法ｃ１、横糸１１ａ、１１ｂのずれ寸法ｙ１１等を設定したが、上記の数値（隣り合う網体の離隔寸法ｃ１＝２．０ｍｍ、横糸の縦方向の間隔ｙ１＝１．５ｍｍ、横糸の直径ｔ＝０．７５ｍｍ、横糸のずれ寸法ｙ１１＝０．４５ｍｍ）に限定されるものではない。すなわち、網体１０ａ、１０ｂを建物の窓の開口に取り付けた時に、網体１０ａ、１０ｂによって、高緯度の太陽光の入射を抑制し、且つ、低緯度の太陽光の入射を促進することが可能であれば、他の数値に設定することも可能である。
【００３７】
また、図２に示した例では、隣り合う網体１０ａ、１０ｂ間の離隔寸法ｃ１及び横糸１１ａ、１１ｂのずれ寸法ｙ１１を調整しているが、本実施形態では、隣り合う網体１０ａ、１０ｂ間の離隔寸法ｃ１のみを調整して、高緯度の太陽光の入射を抑制し、且つ、低緯度の太陽光の入射を促進することも可能である。言い換えれば、高緯度の太陽光の入射を抑制し、低緯度の太陽光の入射を促進するように、隣り合う網体１０ａ、１０ｂ同士の離隔寸法ｃ１を設定することも可能である。この隣り合う網体１０ａ、１０ｂ同士の離隔寸法ｃ１を設定する場合において、網体１０ａ又は網体１０ｂを斜めに配置して、緯度の太陽光の入射を抑制し、低緯度の太陽光の入射を促進するようにしても良い。
【００３８】
続いて、第２実施形態における室内環境制御装置について説明する。第２実施形態は、第１実施形態と比較して、隣り合う網体同士の離隔寸法、網体の横糸のずれ寸法の設定値が変更されていることに加え、網体の縦糸を左右方向にずらしている点が異なっている。それ以外の部分は、第１実施形態の構成及び機能と同じであるので、第１実施形態と同じ部分についてはその説明は省略する。図４は、第２実施形態における各網体の横糸を側面から見たときの拡大断面図であって、横糸のずれについて説明するための図である。図５は、第２実施形態における室内環境制御装置の各網体の縦糸を側面から見たときの拡大断面図であって、縦糸のずれについて説明するための図である。なお、第２実施形態における横糸及び縦糸の直径は、第１実施形態と同じである。
【００３９】
図４に示すように、隣り合う２枚の網体１０ａ、１０ｂにおいて横糸１１ａ、１１ｂが上下方向（縦方向）に互いにずれるように配列される。第２実施形態では、隣り合う網体１０ａ、１０ｂ同士の離隔寸法ｃ２が２．５ｍｍに設定され、横糸１１ａの縦方向の間隔ｙ２が１．０ｍｍに設定され、横糸１１ａの縦方向のずれ寸法ｙ２２が０．２５ｍｍに設定される。このように隣り合う網体１０ａ、１０ｂが配置されることにより、第１実施形態と同様に、高緯度の太陽光の入射を抑制し、且つ、低緯度の太陽光の入射を促進するように、太陽光の入射量を調整することができる。
【００４０】
また第２実施形態では、隣り合う２枚の網体１０ａ、１０ｂにおいて、縦糸１２ａ、１２ｂが水平方向に互いにずれるように配列されている。つまり、図５に示すように、縦糸１２ａ、１２ｂの横方向のずれ寸法ｘ２２が調整され、縦糸１２ａ、１２ｂが水平方向に互いにずれるように網体１０ａ、１０ｂが設置される。本実施形態では、縦糸１２ａ、１２ｂの横方向のずれ寸法ｘ２２を０．７５ｍｍに設定する。なお、縦糸１２ａ間（縦糸１２ｂ間）の横方向の間隔ｘ２は１．５ｍｍに設定されている。このように設定することにより、夏季の西日（２０°〜３５°近辺の西日）のうち、室外側に配置される網体１０ａの縦糸１２ａ間の隙間（開口）を通る西日Ｌｓｗは、室内側に配置される網体１０ｂの縦糸１２ｂにより遮断することが可能となる。
【００４１】
続いて、図４及び図５を参照しながら説明した第２実施形態における網体を用いて、異なる季節における日射透過率の検証を行った。図６及び図７は、第２実施形態における網体を用いて、日射透過率について検証した結果を示すグラフである。図６及び図７の横軸は時刻（８時〜１６時の時間帯）を示し、縦軸は日射透過率を示している。図６の線Ｇ１は、１月での日射透過率の検証結果を示し、線Ｇ２は、３月での日射透過率の検証結果を示し、線Ｇ３は、８月での日射透過率の検証結果を示す。なお、図６の点線Ｐ１、Ｐ２は、従来の日射透過率を示している。
【００４２】
従来の室内環境制御装置を用いた場合、図６の点線Ｐ１、Ｐ２に示されるように、若干の山型に日射透過率が変動、或いは、特定の時間帯のみ日射透過率が大きく変動し（例えば時間による角度調整をしないブラインド、カーテン等）、季節に応じて日射透過率は調整されない。これに対し、本実施形態の室内環境制御装置を用いた場合は、季節又は時間帯に応じて日射透過率を調整することが可能である。詳細には、図６の線Ｇ１（１月（冬季））に示されるように、太陽高度が低い季節においては、日射透過率は高く調整される（日射透過率は３０％〜５０％程度）という結果が得られた。すなわち、本実施形態では、低緯度の太陽光の入射を促進するように調整できることが検証された。また、図６の線Ｇ３（３月（春季））に示されるように、太陽高度が１月（冬季）よりも比較的高い季節においては、日射透過率は２５％〜４５％程度、つまり１月よりも低い日射透過率に調整されるという結果が得られた。これは、本実施形態では、低緯度の太陽光を促進するように太陽光の入射量を調整できることを示している。
【００４３】
一方で、図６の線Ｇ３（８月（夏季））に示されるように、太陽高度が高い季節においては、日射透過率は低く調整される（日射透過率は０％〜１０％程度）という結果が得られた。これは、本実施形態では、高緯度の太陽光を抑制するように太陽光の入射量を調整できることを示している。
【００４４】
続いて、第２実施形態における網体を用いて、夏季の西日（２０°〜３５°近辺の西日）についての日射透過率の検証を行った。図７は、夏季の西日の日射透過率について検証した結果を示すグラフである。図７の線Ｇｂは、夏季の１３時〜１６時の時間帯における太陽光の日射透過率の検証結果を示している。
【００４５】
従来の日射透過率は、図７の点線Ｐに示されるように、夏季の西日（概ね１５時〜１６時での太陽光）の日射透過率は抑えられていない。これに対し、本実施形態では、図７の線Ｇｂに示されるように、概ね１５時〜１６時の時間帯における日射透過率が抑えられていることを確認できる。これは、図５を参照しながら説明したように、隣り合う２枚の網体１０ａ、１０ｂにおいて、縦糸１２ａ、１２ｂを水平方向に互いにずらすように配列したことで、夏季の西日を有効に遮断していることを示している。
【００４６】
続いて、上述した第１実施形態に係る室内環境制御装置の制御方法（室内環境制御方法）について説明する。
【００４７】
まず、建物の窓の外側面に、図１に示したように、複数の横糸１１ｂ及び縦糸１２ｂを格子状に編んで構成された網体１０ｂ（第一の網体）を設置する。
【００４８】
次いで、網体１０ｂの外側面に、網体１０ｂと同一構成の網体１０ａ（第二の網体）を重ねあわせる。
【００４９】
次いで、網体１０ｂの横糸１１ｂと網体１０ａの横糸１１ａとを、高緯度の太陽光の入射を抑制し、かつ、低緯度の太陽光の入射を促進するように上下方向に互いにずれるように配列する。
【００５０】
以上のように、図１に示した網体１０ａ、１０ｂを備える網戸１ａ、１ｂを、建物の窓の外側面に設置することにより、太陽光の入射量を季節に応じて調整することができる。また、網体１０ｂの横糸１１ｂと網体１０ａの横糸１１ａとを、上下方向に互いにずれるように配列して太陽光の入射を制御しているので、入射量の調整と外部からの視線の遮断の両立を図ることが可能となる。
【００５１】
上述した第２実施形態に係る室内環境制御装置の制御方法（室内環境制御方法）について説明する。
【００５２】
まず、建物の窓の外側面に、複数の横糸１１ｂ及び縦糸１２ｂを格子状に編んで構成された網体１０ｂ（第一の網体）を設置する。
【００５３】
次いで、網体１０ｂの外側面に、網体１０ｂと同一構成の網体１０ａ（第二の網体）を重ねあわせる。
【００５４】
次いで、網体１０ｂの縦糸１２ｂと網体１０ａの縦糸１２ａとを、平面視で斜め前方方向からの太陽光の入射を抑制するように配列する。
【００５５】
このように網体１０ａ、１０ｂを建物の窓の外側面に設置することにより、平面視で斜め前方方向からの太陽光（例えば２０°〜３５°近辺の夏季の西日）を、少なくとも一方の縦糸１２ａ、１２ｂにより遮断することができ、室内に導入される太陽光の入射を抑制することができる。
【００５６】
以上のように、上述した実施形態では、平面視四角形状の枠２ａ、２ｂと、当該枠２ａ、２ｂ内に張設された複数枚の網体１０ａ、１０ｂと、を備え、網体１０ａ、１０ｂは、複数の横糸１１ａ、１１ｂ及び縦糸１２ａ、１２ｂを格子状に編んで構成されており、高緯度の太陽光の入射を抑制し、低緯度の太陽光の入射を促進するように、隣り合う網体１０ａ、１０ｂ同士の離隔寸法ｃ１、ｃ２又は横糸１１ａ、１１ｂのずれ寸法ｙ１１、ｙ２２が設定されている。
【００５７】
また、以上説明した実施形態においては、各網体１０ａ、１０ｂの横糸１１ａ、１１ｂ及び縦糸１２ａ、１２ｂが、光の透過性を有するように構成しても良い。これにより、太陽光が例えば網体１０ｂの横糸１１ｂにあたる角度で入射する場合（図２（Ｂ）参照）であっても、当該太陽光を完全に遮断せずに、ある程度室内に光を導入することができるので、日中の日射透過率の変動を抑えることができる。なお、横糸１１ａ、１１ｂ及び縦糸１２ａ、１２ｂの材質としては、例えばポリエステル、ポリプロピレン、グラスファイバー、ステンレス等が用いられる。
【００５８】
また、以上説明した実施形態においては、複数枚の網体１０ａ、１０ｂのうち、室内側の網体１０ｂの反射率が、室外側の網体１０ａの反射率と同等又はそれ以下であるように構成しても良い。これにより、これにより、太陽光が例えば網体１０ｂの横糸１１ｂにあたる角度で入射する場合（図２（Ｂ）参照）であっても、当該太陽光を完全に反射させずに、ある程度室内に光を導入することができるので、日中の日射透過率の変動を抑えることができる。
【００５９】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【００６０】
１：室内環境制御装置
１ａ、１ｂ：網戸
２ａ、２ｂ：枠（枠体）
１０ａ、１０ｂ：網体
１１ａ、１１ｂ：横糸
１２ａ、１２ｂ：縦糸
Ｌｗ、Ｌｓ、Ｌｓｗ：太陽光
ｃ１、ｃ２：離隔寸法
ｘ２：縦糸間の間隔
ｘ２２：縦糸のずれ寸法
ｙ１、ｙ２：横糸間の間隔
ｙ１１、ｙ２２：横糸のずれ寸法
【図１】
0006517093.tif 000004
【図２】
0006517093.tif 000005
【図３】
0006517093.tif 000006
【図４】
0006517093.tif 000007
【図５】
0006517093.tif 000008
【図６】
0006517093.tif 000009
【図７】
0006517093.tif 000010